(57)【特許請求の範囲】
【請求項１】
画像データの読取処理を行う画像読取装置と、該画像読取装置から転送されてくる画像データを受信する情報処理端末とを備えた画像読取システムにおいて、
前記画像読取装置は、読取動作制御の開始要求を前記情報処理端末に送信する読取開始要求送信手段を有し、
前記情報処理端末は、前記読取開始要求送信手段から読取動作制御の開始要求を受信した場合に、予め設定された読取条件で自動的に読取動作を実行する第１のモードと、ユーザに読取条件の設定を促し、ユーザによって設定された読取条件で読取動作を実行する第２のモードとのうちいずれのモードに設定されているのかを判断し、前記第１のモードに設定されている場合には、予め設定された読取条件に基づく読取動作指令を前記画像読取装置に発し、前記第２のモードに設定されている場合には、ユーザにより設定された読取条件に基づく読取動作指令を前記画像読取装置に発することを特徴とする画像読取システム。
【請求項２】
前記情報処理端末は、
前記画像読取装置で読み取られて転送されてきた画像データに対して、互いに異なるデータ処理をそれぞれ実行する複数のデータ処理手段と、
前記複数のデータ処理手段のいずれを動作させるかをユーザが選択し、設定するためのデータ処理機能選択手段と
を有することを特徴とする請求項１記載の画像読取システム。
【請求項３】
前記複数のデータ処理手段は、画像編集機能、文書編集機能、ファクシミリ処理機能、電子メール処理機能、複写機能、及びデータ保存機能のうち少なくとも２つの各々をそれぞれ実現する複数の手段からなることを特徴とする請求項２記載の画像読取システム。
【請求項４】
前記読取条件には、カラー、グレイスケール、または二値の画像読取種別、解像度種別、及び用紙サイズ種別のうち少なくとも１つが含まれることを特徴とする請求項１乃至請求項３のいずれかに記載の画像読取システム。
【請求項５】
前記画像読取装置は、読取動作の開始が不可能である場合、または前記情報処理端末から読取動作指令が来ない場合に所定の警告を発する警告手段を、更に有することを特徴とする請求項１乃至請求項４のいずれかに記載の画像読取システム。
【請求項６】
読取動作制御の開始要求を情報処理端末に送信する読取開始要求送信手段を備えた画像読取装置が、読み取った画像データを前記情報処理端末に転送する画像読取システムの制御方法において、
前記情報処理端末が前記読取開始要求送信手段からの読取動作制御の開始要求を受信する受信ステップと、
前記受信ステップによって読取動作制御の開始要求が受信された場合に、予め設定された読取条件で自動的に読取動作を実行する第１のモードと、ユーザに読取条件の設定を促し、ユーザによって設定された読取条件で読取動作を実行する第２のモードとのうちいずれのモードに設定されているかを判断する判断ステップと、
前記判断ステップによって、前記第１のモードに設定されていると判断された場合には、予め設定された読取条件に基づく読取動作指令を前記画像読取装置に発し、前記第２のモードに設定されていると判断された場合には、ユーザにより設定された読取条件に基づく読取動作指令を前記画像読取装置に発する読取動作指令ステップと
を有することを特徴とする画像読取システムの制御方法。
【請求項７】
前記画像読取装置で読み取られて転送されてきた画像データに対して、複数のデータ処理機能の中からユーザによって選択設定されたデータ処理機能によってデータ処理を実行するデータ処理ステップを、更に有することを特徴とする請求項６記載の画像読取システムの制御方法。
【請求項８】
前記複数のデータ処理機能は、画像編集機能、文書編集機能、ファクシミリ処理機能、電子メール処理機能、複写機能、及びデータ保存機能のうちの少なくとも２つであることを特徴とする請求項７記載の画像読取システムの制御方法。
【請求項９】
前記読取条件には、カラー、グレイスケール、または二値の画像読取種別、解像度種別、及び用紙サイズ種別のうち少なくとも１つが含まれることを特徴とする請求項６乃至請求項８のいずれかに記載の画像読取システムの制御方法。
【請求項１０】
読取動作の開始が不可能である場合、または前記画像読取装置に前記情報処理端末から読取動作指令が来ない場合に所定の警告を発する警告ステップを、更に有することを特徴とする請求項６乃至請求項９のいずれかに記載の画像読取システムの制御方法。
【請求項１１】
読取動作制御の開始要求を送信する読取開始要求送信手段を備え、画像データの読取処理を行う画像読取装置に接続されて該画像読取装置を制御する情報処理端末において、
前記読取開始要求送信手段から読取動作制御の開始要求を受信した場合に、予め設定された読取条件で自動的に読取動作を実行する第１のモードと、ユーザに読取条件の設定を促し、ユーザによって設定された読取条件で読取動作を実行する第２のモードとのうちいずれのモードに設定されているのかを判断し、前記第１のモードに設定されている場合には、予め設定された読取条件に基づく読取動作指令を前記画像読取装置に発し、前記第２のモードに設定されている場合には、ユーザにより設定された読取条件に基づく読取動作指令を前記画像読取装置に発することを特徴とする情報処理端末。
【請求項１２】
前記画像読取装置で読み取られて転送されてきた画像データに対して、互いに異なるデータ処理をそれぞれ実行する複数のデータ処理手段と、
前記複数のデータ処理手段のいずれを動作させるかをユーザが選択し、設定するためのデータ処理機能選択手段と
を有することを特徴とする請求項１１記載の情報処理端末。
【請求項１３】
前記複数のデータ処理手段は、画像編集機能、文書編集機能、ファクシミリ処理機能、電子メール処理機能、複写機能、及びデータ保存機能のうちの少なくとも２つの各々をそれぞれ実現する複数の手段からなることを特徴とする請求項１２記載の情報処理端末。
【請求項１４】
前記読取条件には、カラー、グレイスケール、または二値の画像読取種別、解像度種別、及び用紙サイズ種別のうち少なくとも１つが含まれることを特徴とする請求項１１乃至請求項１３のいずれかに記載の情報処理端末。
【請求項１５】
読取動作制御の開始要求を送信する読取開始要求送信手段を備えた画像読取装置から転送されてくる画像データを受信して管理する情報処理端末の制御方法において、
前記読取開始要求送信手段から読取動作制御の開始要求を受信する受信ステップと、
前記受信ステップによって読取動作制御の開始要求が受信された場合に、予め設定された読取条件で自動的に読取動作を実行する第１のモードと、ユーザに読取条件の設定を促し、ユーザによって設定された読取条件で読取動作を実行する第２のモードとのうちいずれのモードに設定されているかを判断する判断ステップと、
前記判断ステップによって前記第１のモードに設定されていると判断された場合には、予め設定された読取条件に基づく読取動作指令を前記画像読取装置に発し、前記第２のモードに設定されていると判断された場合には、ユーザにより設定された読取条件に基づく読取動作指令を前記画像読取装置に発する読取動作指令ステップと
を有することを特徴とする情報処理端末の制御方法。
【請求項１６】
前記画像読取装置で読み取られて転送されてきた画像データに対して複数のデータ処理機能の中からユーザによって選択設定されたデータ処理機能によってデータ処理を実行するデータ処理ステップを、更に有することを特徴とする請求項１５記載の情報処理端末の制御方法。
【請求項１７】
前記複数のデータ処理機能は、画像編集機能、文書編集機能、ファクシミリ処理機能、電子メール処理機能、複写機能、及びデータ保存機能のうちの少なくとも２つであることを特徴とする請求項１６記載の情報処理端末の制御方法。
【請求項１８】
前記読取条件には、カラー、グレイスケール、または二値の画像読取種別、解像度種別、及び用紙サイズ種別のうち少なくとも１つが含まれることを特徴とする請求項１５乃至請求項１７のいずれかに記載の情報処理端末の制御方法。
【発明の詳細な説明】
【０００１】
【発明の属する技術分野】
本発明は画像読取システムと該画像読取システムの制御方法、並びに情報処理端末と該情報処理端末の制御方法に関し、より詳しくは原稿に描かれている画像データの読取処理を行う画像読取装置と該画像読取装置を制御する情報処理端末とを備えた画像読取システムとその制御方法、及び前記情報処理端末とその制御方法に関する。
【０００２】
【従来の技術】
従来より、画像読取装置と情報処理端末とで構成された画像読取システムが知られているが、この種の画像読取システムでは、一般に画像データの読取処理を画像読取装置に開始させるための指示は情報処理端末で行っていた。
【０００３】
しかしながら、上記画像読取システムでは、ネットワーク接続された場合、情報処理端末と画像読取装置とは物理的に離れた位置に設置されることが多く、情報処理端末からの指示のみに基づいて画像データの読取処理を行っていたのでは使い勝手が悪いという欠点があった。
【０００４】
そこで、斯かる欠点を解消する方策として、画像読取装置側で操作することにより画像データの読取指示を行うことができる画像読取システムが提案されている（例えば、特開平１０−１５０５２０号公報；以下「従来技術」という）。
【０００５】
該画像読取システムでは、解像度等の読取モードを、画像読取装置側で設定して該画像読取装置のメモリに記憶させておくか、或いは情報処理端末側で予め設定し該情報処理装置端末のメモリに記憶させておき、画像読取装置の操作部により画像読取の指示をがあった場合は、情報処理端末が前記画像読取装置からの画像読取指示を確認した後、前記画像読取装置に対し前記設定された読取モードに基づいた画像データの読取処理を行なうように指示している。
【０００６】
【発明が解決しようとする課題】
ところで、近年、画像読取装置のカラー化や高機能化に伴い、設定する読取モードは増大してきているが、上記従来技術においては、画像読取装置側で読取モードを設定する場合は、各種モードを設定するための表示部、操作部を画像読取装置側に設けなければならず、装置構成が複雑となり高価になってしまい、一方、情報処理端末側で読取モードを予め設定しておく場合は、読取指示を行う前に各種読取モードを必ず設定しておく必要があるため、読取モードを変更する場合の操作が煩わしく、使い勝手が悪いという問題点があった。
【０００７】
本発明はこのような問題点に鑑みなされたものであって、低廉で使い勝手の良い画像読取システムと該画像読取システムの制御方法、並びに情報処理端末と該情報処理端末の制御方法を提供することを目的とする。
【０００８】
【課題を解決するための手段】
上記目的を達成するために本発明に係る画像読取システムは、画像データの読取処理を行う画像読取装置と、該画像読取装置から転送されてくる画像データを受信する情報処理端末とを備えた画像読取システムにおいて、前記画像読取装置は、読取動作制御の開始要求を前記情報処理端末に送信する読取開始要求送信手段を有し、前記情報処理端末は、前記読取開始要求送信手段から読取動作制御の開始要求を受信した場合に、予め設定された読取条件で自動的に読取動作を実行する第１のモードと、ユーザに読取条件の設定を促し、ユーザによって設定された読取条件で読取動作を実行する第２のモードとのうちいずれのモードに設定されているのかを判断し、前記第１のモードに設定されている場合には、予め設定された読取条件に基づく読取動作指令を前記画像読取装置に発し、前記第２のモードに設定されている場合には、ユーザにより設定された読取条件に基づく読取動作指令を前記画像読取装置に発することを特徴としている。
【０００９】
また、本発明に係る画像読取システムの制御方法は、読取動作制御の開始要求を情報処理端末に送信する読取開始要求送信手段を備えた画像読取装置が、読み取った画像データを前記情報処理端末に転送する画像読取システムの制御方法において、前記情報処理端末が前記読取開始要求送信手段からの読取動作制御の開始要求を受信する受信ステップと、前記受信ステップによって読取動作制御の開始要求が受信された場合に、予め設定された読取条件で自動的に読取動作を実行する第１のモードと、ユーザに読取条件の設定を促し、ユーザによって設定された読取条件で読取動作を実行する第２のモードとのうちいずれのモードに設定されているかを判断する判断ステップと、前記判断ステップによって、前記第１のモードに設定されていると判断された場合には、予め設定された読取条件に基づく読取動作指令を前記画像読取装置に発し、前記第２のモードに設定されていると判断された場合には、ユーザにより設定された読取条件に基づく読取動作指令を前記画像読取装置に発する読取動作指令ステップとを有することを特徴している。
【００１０】
さらに、本発明に係る情報処理端末は、読取動作制御の開始要求を送信する読取開始要求送信手段を備え、画像データの読取処理を行う画像読取装置に接続されて該画像読取装置を制御する情報処理端末において、前記読取開始要求送信手段から読取動作制御の開始要求を受信した場合に、予め設定された読取条件で自動的に読取動作を実行する第１のモードと、ユーザに読取条件の設定を促し、ユーザによって設定された読取条件で読取動作を実行する第２のモードとのうちいずれのモードに設定されているのかを判断し、前記第１のモードに設定されている場合には、予め設定された読取条件に基づく読取動作指令を前記画像読取装置に発し、前記第２のモードに設定されている場合には、ユーザにより設定された読取条件に基づく読取動作指令を前記画像読取装置に発することを特徴としている。
【００１１】
また、本発明に係る情報処理端末の制御方法は、読取動作制御の開始要求を送信する読取開始要求送信手段を備えた画像読取装置から転送されてくる画像データを受信して管理する情報処理端末の制御方法において、前記読取開始要求送信手段から読取動作制御の開始要求を受信する受信ステップと、前記受信ステップによって読取動作制御の開始要求が受信された場合に、予め設定された読取条件で自動的に読取動作を実行する第１のモードと、ユーザに読取条件の設定を促し、ユーザによって設定された読取条件で読取動作を実行する第２のモードとのうちいずれのモードに設定されているかを判断する判断ステップと、前記判断ステップによって前記第１のモードに設定されていると判断された場合には、予め設定された読取条件に基づく読取動作指令を前記画像読取装置に発し、前記第２のモードに設定されていると判断された場合には、ユーザにより設定された読取条件に基づく読取動作指令を前記画像読取装置に発する読取動作指令ステップとを有することを特徴としている。
【００１２】
尚、本発明の他の特徴は、下記の発明の実施の形態の記載により明らかとなろう。
【００１３】
【発明の実施の形態】
以下、本発明の実施の形態を図面に基づいて詳説する。
【００１４】
図１は、本発明に係る画像読取システムの一実施の形態を示すブロック構成図であって、該画像読取システムは、画像読取装置としての複合機１と情報処理端末２とがインターフェース（Ｉ／Ｆ）ケーブル１７を介して接続されている。
【００１５】
複合機１において、システム制御部３はシステムバス１８を介して装置全体の動作を制御し、ＲＯＭ４にはシステム制御部３で実行される後述の制御プログラム等が格納されている。
【００１６】
登録メモリ５はバッテリーによりバックアップされたＳＲＡＭ又はフラッシュメモリからなり、ユーザが登録した設定値や装置の管理データ等を保存する。画像メモリ６及びワークメモリ７はＤＲＡＭで構成され、前記画像メモリ６は読み取った画像データを蓄積し、前記ワークメモリ７はプログラム制御変数等を保存する。
【００１７】
操作部８はスキャンキー８ａ等の各種キーを有し、ユーザが各種入力を行うことができる。例えば、スキャンキー８ａを押下することにより、ユーザは情報処理端末２に対し、スキャン開始要求の指示を行うことができる。
【００１８】
表示部９は液晶表示パネル（ＬＣＤ）や発光ダイオード（ＬＥＤ）を有し、各種表示、表音を行う。
【００１９】
読取制御部１０は、ＣＣＤやＣＳ等のイメージセンサ、及び画像処理部を有し、画像データを光学的に読み取って電気信号に変換したり、所定の色処理、二値化処理、中間調処理等の各種画像処理を施して高精細な画像データを取得する。
【００２０】
記録制御部１１は、熱転写プリンタ、レーザプリンタ、或いはインクジェットプリンタ等のプリンタや画像処理制御部を備え、記録する画像データのスムージング処理や記録濃度補正処理等の各種画像処理を施して高精細な画像データに変換する。
【００２１】
符号化部１２は原画像データを符号化（ＭＨ、ＭＲ、ＭＭＲ、ＪＢＩＧ、ＪＰＥＧ等）し、復号化部１３は符号化された画像データを原画像データに復号化する。
【００２２】
通信制御部１４は、モデムやＮＣＵ（網制御装置）等を有し、通信回線１５を介して相手通信装置との間で画像情報等のやり取りを行う。
【００２３】
外部Ｉ／Ｆ制御部１６は、シリアル入出力インタフェース用ＬＳＩ、パラレル入出カインタフュース用ＬＳＩ等で構成され、Ｉ／Ｆケーブル１７を介して情報処理端末２と各種制御命令やデータの送受信を行う。
【００２４】
また、情報処理端末２は汎用のパーソナルコンピュータで構成され、ＣＰＵ、ハードディスク（ＨＤ）、キーボード、ディスプレイ等を備えている。さらに、情報処理端末２には複合機１に対する各種制御命令やデータの送受信を行うためのアプリケーションソフト（以下、「アプリケーション」という）及びドライバソフト（以下、「ドライバ」という）がハードディスクにインストールされており、ユーザの操作によりアプリケーションが起動すると、ディスプレイ上にはツールバー２ａが表示される。そして、情報処理端末２は、ＬＡＮ制御部（不図示）を介してネットワークに接続可能とされ、或いはモデム制御部（不図示）を介して電話回線に接続可能とされており、情報処理端末２上で動作する電子メールアプリケーションを使用することにより、該ＬＡＮ制御部又はモデム制御部を介して電子メールの送受信が可能とされている。尚、ツールバー２ａは、情報処理端末２の起動時に自動的に起動するように構成してもよい。
【００２５】
図２は、情報処理端末２のディスプレイ上に表示されるツールバー２ａである。
【００２６】
すなわち、ツールバー２ａはスキャン開始用ボタン２１〜２６と設定ボタン２７とで構成され、いずれかのスキャン開始用ボタン２１〜２６を押下することにより、各ボタン毎に設定された読取モード（カラー／グレイスケール／二値、解像度、用紙サイズ等）でスキャン動作が開始され、スキャン後、必要に応じて所定の処理を行う。
【００２７】
すなわち、画像編集ボタン２１が押下されると、設定された読取モードで原稿を読み取った後、読取画像は所定のファイル形式でもって画像編集用アプリケーションに送られ、これにより該画像編集用アプリケーションが起動する。
【００２８】
文書編集ボタン２２が押下されると、設定された読取モードで原稿を読み取った後、読取画像はＯＣＲ（光学的文字読取）処理を施され、文書ファイルとして文書編集用アプリケーションに送られ、これにより文書編集用アプリケーションが起動する。
【００２９】
ファクスボタン２３が押下されると、設定された読取モードで原稿を読み取った後、読取画像は所定のファクスドライバに送られ、ファクシミリ送信画像を生成する。尚、この時、ファクスドライバは相手先の指定を行うための設定ダイアログを表示するように構成してもよい。
【００３０】
メールボタン２４が押下されると、設定された読取モードで原稿を読み取った後、読取画像はに所定のファイル形式でもって添付ファイルとして電子メールアプリケーションに送られ、これにより電子メールアプリケーションが起動する。
【００３１】
コピーボタン２５が押下されると、設定された読取モードで原稿を読み取った後、プリンタドライバに送られ、印刷画像を生成する。尚、この時、プリンタドライバは印刷のための詳細設定を行うための設定ダイアログを表示するように構成してもよい。
【００３２】
保存ボタン２６が押下されると、設定された読取モードで原稿を読み取った後、所定のファイル形式でもって情報処理端末２のハードディスク等にファイル名を特定して保存する。
【００３３】
設定ボタン２７が押下されると、各ボタンに対応する上記読取モードや対象アプ−リケーション／ドライバを設定するための設定ダイアログが表示され、自動読取／手動読取の読取モードの設定や各種設定の変更、保存を行うことができる。また、複合機１の操作部８上にある前記スキャンキー８ａが押下された場合に情報処理端末２上で行う制御（以下、この情報処理端末２上で行う制御を「スキャンキー押下時制御」という）の設定も、前記設定ボタン２７の押下により表示される設定ダイアログ上で行われる。スキャンキー押下時制御には、スキャン開始用ボタン２１〜２６のいずれかのボタンが押下された場合と同一の動作を行う制御、又はツールバー２ａを起動する制御のいずれか一つを選択して保存することが可能とされている。
【００３４】
図３は、複合機１で実行される画像転送処理の処理手順を示すフローチャートであって、本プログラムは複合機１のシステム制御部３で実行される。
【００３５】
すなわち、ステップＳ１でスキャンキー８ａが押下されると、ステップＳ２に進みスキャン開始が可能か否かを判断する。そして、その答が否定（Ｎｏ）、すなわち、現在スキャン動作中である場合や、原稿が原稿台にセットされていない場合等、スキャン開始が可能ではないと判断された場合は、ステップＳ８に進み、現在スキャン動作を実行できない旨をユーザに通知するため、表示部９で表示又は／及び表音で警告を行い、処理を終了する。
【００３６】
一方、ステップＳ１でスキャン開始が可能と判断された場合には、ステップＳ３に進み、スキャンキー８ａが押下されたことをＩ／Ｆケーブル１７を介して情報処理端末２に通知し、該通知が完了したか否かを判断する。そして、その答が否定（Ｎｏ）のときは所定時間経過したか否かを判断し（ステップＳ４）、所定時間が経過していないときは所定時間の経過を待ち、所定時間が経過したときはステップＳ８に進んでユーザにスキャン動作が実行できない旨の警告を通知して処理を終了する。
【００３７】
また、ステップＳ３の答が肯定（Ｙｅｓ）のときは、情報処理端末２からスキャン開始の指示があったか否かを判断する（ステップＳ５）。そして、その答が否定（Ｎｏ）のときは所定時間経過したか否かを判断し（ステップＳ６）、所定時間が経過していないときは所定時間の経過を待ち、所定時間が経過したときはステップＳ８に進んでユーザにスキャン動作が実行できない旨の警告を通知して処理を終了する。
【００３８】
一方、ステップＳ５の答が肯定（Ｙｅｓ）のときは情報処理端末２で指示された読取モードに従って、読取制御部１０で読み取られた読取画像を、Ｉ／Ｆケーブル１７を介して情報処理端末２に転送し（ステップＳ７）、処理を終了する。尚、ステップＳ７で転送される画像は、符号化部１２で符号化した後に転送するようにしてもよい。
【００３９】
図４は、情報処理端末２で実行されるスキャン処理の処理手順を示すフローチャートである。
【００４０】
まず、ツールバー２ａ上のスキャン開始用ボタン２１〜２６のいずれかのボタンが押下されたか否かを判断し（ステップＳ１１）、その答が肯定（Ｙｅｓ）の場合は自動読取モードに設定されているか否かを判断する（ステップＳ１２）。すなわち、情報処理端末２から複合機１に対してスキャン開始指示を送出する前にツールバー２ａの設定ボタン２７が操作されて予め自動読取モードに設定されているか否かを判断する。
【００４１】
そして、ステップＳ１２の答が肯定（Ｙｅｓ）、すなわち自動読取モードに設定されている場合は、ステップＳ１９に進み、押下されたスキャン開始ボタン２１〜２６に対応して設定されている読取モードでもってスキャンを行うべくＩ／Ｆケーブル１７を介して複合機１に対してスキャン開始指示を通知する。
【００４２】
一方、ステップＳ１２の答が否定（Ｎｏ）、すなわち自動読取モードが設定されていない場合は、読取モードの設定を行うためのダイアログを表示し、ユーザが読取モードの設定を行った後（ステップＳ１３）、ステップＳ１９に進み、該読取モードでスキャンを行うべくＩ／Ｆケーブル１７を介して複合機１に対してスキャン開始指示を通知する。尚、この場合、読取モードの設定を行うためのダイアログの各設定の初期値は、押下されたボタンに対応して設定されている読取モードとなるようにしてもよく、該ダイアログを前回開いたときに設定された読取モードとなるようにしてもよい。
【００４３】
また、ステップＳ１１の答が否定（Ｎｏ）、すなわちいずれのスキャン開始用ボタン２１〜２６も押下されていないと判断された場合は、ステップＳ１４に進み、複合機１からスキャンキー８ａの押下通知があったか否かを判断する。そして、その答が否定（Ｎｏ）の場合はステップＳ１１に戻る一方、ステップＳ１４の答が肯定（Ｙｅｓ）の場合はスキャンキー押下時制御としてツールバー２ａの起動が設定されているか否かを判断する（ステップＳ１５）。そして、その答が肯定（Ｙｅｓ）の場合はツールバー２ａを起動し（ステップＳ１６）、処理を終了する。
【００４４】
一方、スキャンキー押下時制御としてツールバー２ａの起動が設定されていない場合、すなわちスキャン開始用ボタン２１〜２６のいずれかの制御が設定されている場合は、ステップＳ１７に進み、自動読取モードが設定されているか否かを判断する。そして、その答が肯定（Ｙｅｓ）の場合はスキャンキー押下時制御としてスキャン開始用ボタン２１〜２６に対応して設定されている読取モードでスキャンを行うべくＩ／Ｆケーブル１７を介して複合機１に対しスキャン開始指示を通知する（ステップＳ１９）。
【００４５】
また、ステップＳ１７で自動読取モードが設定されていないと判断された場合は読取モードの設定を行うためのダイアログを表示し、ユーザが読取モードの設定を行った後（ステップＳ１８）、該読取モードでのスキャンを行うべくＩ／Ｆ１７を介して複合機１に対しスキャン開始指示を通知する（ステップＳ１９）。
【００４６】
そして、ステップＳ１９でスキャン開始の指示を複合機１に発した後、複合機１から転送される画像データを受信し（ステップＳ２０）、受信終了後、アプリケーションやドライバへの画像データの転送等、所定の後処理を実行し（ステップＳ２１）、処理を終了する。
【００４７】
尚、本実施の形態では画像読取装置として複合機を例に説明したが、これに限ることなくスキャナ装置単体であっても同様に適用できるのはいうまでもない。
【００４８】
また、本発明は、上述した実施形態の機能を実現するソフトウェアのプログラムを記録した記録媒体をシステム或いは装置に供給し、そのシステム或いは装置のコンピュータ（又はＣＰＵやＭＰＵ）が記憶媒体に格納されたプログラムコードを読み出し、該プログラムを実行することによっても、その目的を達成することができる。
【００４９】
尚、この場合、記憶媒体から読み出されたプログラムコード自体が、上述した実施形態の機能を実現することになり、そのプログラムコードを記憶した記憶媒体が本発明を構成することとなる。また、プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード等を使用することができる。
【００５０】
また、コンピュータ上で稼働しているＯＳ（オペレーティングシステム）が上記プログラムコードの指示に基づいて上述した処理の一部又は全部を行なうようにしてもよい。
【００５１】
【発明の効果】
以上詳述したように本発明によれば、画像読取装置からのスキャン開始要求（読取動作制御の開始要求）の送信に応答して、情報処理端末において、あらかじめ設定された読取条件（読取モード）で自動的にスキャンを行う第１のモードと、ユーザに読取条件の設定を促し、設定された読取条件でスキャンを行う第２のモードとのうちいずれかをユーザが選択することにより、ユーザに対して低廉でより使い勝手のよい画像読取システムを提供することができる。
【図面の簡単な説明】
【図１】本発明に係る画像読取システムの一実施の形態を示すブロック構成図である。
【図２】情報処理端末２に表示されるツールバーの図である。
【図３】複合機１で実行される画像転送処理の処理手順を示すフローチャートである。
【図４】情報処理端末で実行されるスキャン処理の処理手順を示すフローチャートである。
【符号の説明】
１    複合機（画像読取装置）
２    情報処理端末
２ａ  ツールバー（読取動作指令手段）
８ａ  スキャンキー（読取開始要求指示手段）
【図１】
0003595752.tif 000002
【図２】
0003595752.tif 000003
【図３】
0003595752.tif 000004
【図４】
0003595752.tif 000005